(57)【要約】【課題】バラツキが大きい安価な湿度センサを使用した電子湿度計の湿度指示値を簡単且つ迅速に補正できるようにする。【解決手段】湿度センサ６の計測データを演算処理して湿度指示値を求めるマイクロコンピュータ７が、湿度指示値を補正する補正信号が入力される複数の入力端子Ｍ１〜Ｍ４を備え、ハウジング１内に収容するプリント基板８に、マイクロコンピュータ７の各入力端子Ｍ１〜Ｍ４と補正信号の信号源９又は１０との間を半田のブリッジＢによって接続可能とする半田付け用パットＰ１〜Ｐ４が設けられている。【選択図】図１
2006053038.tif 000002
【特許請求の範囲】
【請求項１】
湿度センサの計測データをマイクロコンピュータで演算処理して求めた湿度指示値をディスプレイに表示する電子湿度計において、前記マイクロコンピュータが、湿度指示値を補正する補正信号が入力される複数の入力端子を備え、ハウジング内に収容するプリント基板に、前記マイクロコンピュータの各入力端子と補正信号の信号源との間を半田のブリッジによって接続可能とする半田付け用パットが設けられていることを特徴とする電子湿度計。
【請求項２】
前記半田付け用パットが、一列に並んだ３つのパットで１ユニットを構成し、その列の中央に位置するパットが、前記マイクロコンピュータの各入力端子に夫々導通せられ、他の２つのパットが、夫々高電位の信号源と低電位の信号源に導通せられている請求項１記載の電子湿度計。
【請求項３】
前記ハウジングに、前記半田付け用パットが設けられた箇所を開放する蓋が設けられている請求項１又は２記載の電子湿度計。
【発明の詳細な説明】
【技術分野】
【０００１】
本発明は、湿度センサの計測データをマイクロコンピュータで演算処理して求めた湿度指示値をディスプレイに表示する電子湿度計に関する。
【背景技術】
【０００２】
電子湿度計は、周囲の湿度及び温度に応じて電気抵抗値が変化する抵抗形高分子湿度センサを用いたものが一般的であるが、この種の湿度センサは温度によって特性が変化するため、湿度センサの計測データを演算処理して湿度指示値を求めるマイクロコンピュータは、温度センサで計測される温度に応じて湿度指示値を自動的に補正するようにプログラムされている。
【０００３】
ところで、市販の安価な湿度センサは、常温でのバラツキが５％ｒｈ程度、低温又は高温でのバラツキは５％ｒｈ以上となるので、これを使用した電子湿度計は、湿度測定精度が悪いという欠点があり、また、バラツキが小さい高価な湿度センサを使用すると、電子湿度計の湿度測定精度は向上するが、その単価が著しく高くなるという欠点があった。
【０００４】
また、バラツキが大きい湿度センサを使用した電子湿度計には、可変コンデンサや可変抵抗器などのボリュームによって湿度指示値を補正することができるようにしたものもあるが（例えば、特許文献１参照）、ボリュームを設けるとその分だけ部品コストが嵩み、また、当該電子湿度計の液晶ディスプレイに表示される湿度指示値を見ながら、その指示値を校正用湿度計の指示値と一致させるようにボリュームをドライバー等で回して調整する補正作業は面倒であり、更に、ボリュームを回して湿度指示値を補正した後にそのボリュームの位置が変動しないようにロック剤を塗布して固定する作業を行わなければならないという面倒もあった。
【特許文献１】実開平４−１４３９号公報
【発明の開示】
【発明が解決しようとする課題】
【０００５】
本発明は、バラツキが大きい安価な湿度センサを使用した電子湿度計の湿度指示値を簡単且つ迅速に補正できるようにすることを技術的課題としている。
【課題を解決するための手段】
【０００６】
上記課題を解決するために、本発明は、湿度センサの計測データをマイクロコンピュータで演算処理して求めた湿度指示値をディスプレイに表示する電子湿度計において、前記マイクロコンピュータが、湿度指示値を補正する補正信号が入力される複数の入力端子を備え、ハウジング内に収容するプリント基板に、前記マイクロコンピュータの各入力端子と補正信号の信号源との間を半田のブリッジによって接続可能とする半田付け用パットが設けられていることを特徴とする。
【発明の効果】
【０００７】
本発明によれば、マイクロコンピュータの各入力端子と補正信号の信号源との間を半田のブリッジによって接続するだけで、マイクロコンピュータの各入力端子に湿度指示値を補正する補正信号を入力することができるから、バラツキが大きい安価な湿度センサを使用した電子湿度計の湿度指示値を補正する作業が簡易迅速化されるという効果がある。
【発明を実施するための最良の形態】
【０００８】
本発明に係る電子湿度計の最良の実施形態は、湿度センサの計測データをマイクロコンピュータで演算処理して求めた湿度指示値をディスプレイに表示する電子湿度計において、前記マイクロコンピュータが、湿度指示値を補正する補正信号が入力される複数の入力端子を備え、ハウジング内に収容するプリント基板に、前記マイクロコンピュータの各入力端子と補正信号の信号源との間を半田のブリッジによって接続可能とする半田付け用パットが設けられ、該半田付け用パットが、一列に並んだ３つのパットで１ユニットを構成し、その列の中央に位置するパットが、前記マイクロコンピュータの各入力端子に夫々導通せられ、他の２つのパットが、夫々高電位の信号源と低電位の信号源に導通せられ、更に、前記ハウジングに、前記半田付け用パットが設けられた箇所を開放する蓋が設けられているものである。
【実施例】
【０００９】
図１は本発明に係る電子湿度計の一例を示すブロック図、図２は電子湿度計の湿度指示値の補正方法を例示する図、図３は電子湿度計のハウジングの正面図、図４はそのハウジングの背面図である。
【００１０】
本例の電子湿度計は、図３の如く、ハウジング１の正面に温度指示値と湿度指示値を並べて表示する液晶ディスプレイ２が設けられ、図４の如く、ハウジング１の背面に電源となる乾電池３を収容する電池ケース４とその蓋５が設けられた電子温・湿度計であって、ハウジング１内には、図１の如く、湿度センサ６と温度センサ（図示せず）や、湿度センサ６の計測データを演算処理して湿度指示値を求めるマイクロコンピュータ（マイコン）７や、マイクロコンピュータ７で求めた湿度指示値を表示する液晶ディスプレイ２等の電子部品を搭載したプリント基板８が収容されている。
【００１１】
マイクロコンピュータ７は、液晶ディスプレイ２に表示する湿度指示値を補正する補正信号が入力される例えば計４つの入力端子Ｍ１〜Ｍ４を備え、プリント基板８には、マイクロコンピュータ７の各入力端子Ｍ１、Ｍ２、Ｍ３、Ｍ４と補正信号の信号源９又は１０との間を半田のブリッジＢによって接続可能とする計４ユニットの半田付け用パットＰ１、Ｐ２、Ｐ３、Ｐ４が設けられている。
【００１２】
半田付け用パットＰ１、Ｐ２、Ｐ３、Ｐ４は、一列に並んだ３つのパット１０、１１、１２で１ユニットを構成しており、その列の中央に位置するパット１２が、マイクロコンピュータ７の各入力端子Ｍ１、Ｍ２、Ｍ３、Ｍ４に夫々導通せられ、他の２つのパット１１、１３が、夫々プラス電源電圧（ＶＤ）が印加される高電位の信号源９とアース（ＧＮＤ）に接続される低電位の信号源１０とに導通せられている。
【００１３】
マイクロコンピュータ７は、各入力端子Ｍ１〜Ｍ４に信号源９から高電位の補正信号Ｈが入力されたときは夫々Ｍ１〜Ｍ４＝「１」、信号源１０から低電位の補正信号Ｌが入力されたときは夫々Ｍ１〜Ｍ４＝「０」と判断して、式：（Ｍ１）×５＋（Ｍ２）×２−（Ｍ３）×２−（Ｍ４）×５で求まる数値を湿度補正値（％ｒｈ）とする演算処理を実行するようにプログラムされている。
【００１４】
これにより、半田付け用パットＰ１、Ｐ２、Ｐ３、Ｐ４の各ユニットは、夫々湿度補正値を＋５％ｒｈ、＋２％ｒｈ、−２％ｒｈ、−５％ｒｈとする補正信号Ｈを出力するものとなっている。
【００１５】
しかして、例えば校正用湿度計の湿度指示値が７０％ｒｈであるときに、本例の電子湿度計の液晶ディスプレイ２に表示された湿度指示値が図３の如く６５％ｒｈである場合は、図２（ａ）の如く、半田付け用パットＰ１のパット１１及び１２間を半田のブリッジＢで接続すると共に、他の半田付け用パットＰ２〜Ｐ４のパット１２及び１３間を半田のブリッジＢで接続して、マイクロコンピュータ７に湿度補正値＋５％ｒｈを入力し、液晶ディスプレイ２に表示された湿度指示値を６５％ｒｈから７０％ｒｈに補正する。
【００１６】
また、校正用湿度計の湿度指示値が６０％ｒｈであるときに、液晶ディスプレイ２に表示された湿度指示値が図３の如く６５％ｒｈである場合は、図２（ｂ）の如く、半田付け用パットＰ４のパット１１及び１２間を半田のブリッジＢで接続すると共に、他の半田付け用パットＰ１〜Ｐ３のパット１２及び１３間を半田のブリッジＢで接続して、マイクロコンピュータ７に湿度補正値−５％ｒｈを入力し、液晶ディスプレイ２に表示された湿度指示値を６５％ｒｈから６０％ｒｈに補正する。
【００１７】
また、校正用湿度計の湿度指示値が７２％ｒｈであるときに、液晶ディスプレイ２に表示された湿度指示値が図３の如く６５％ｒｈである場合は、図２（ｃ）の如く、半田付け用パットＰ１、Ｐ２のパット１１及び１２間を半田のブリッジＢで接続すると共に、他の半田付け用パットＰ３、Ｐ４のパット１２及び１３間を半田のブリッジＢで接続して、マイクロコンピュータ７に湿度補正値＋７％ｒｈを入力し、液晶ディスプレイ２に表示された湿度指示値を６５％ｒｈから７２％ｒｈに補正する。
【００１８】
また、図示は省略するが、液晶ディスプレイ２に表示された湿度指示値と校正用湿度計の湿度指示値との誤差が±３％ｒｈである場合は、半田付け用パットＰ１、Ｐ３のパット１１及び１２間を半田のブリッジＢで接続すると共に、他の半田付け用パットＰ２、Ｐ４のパット１２及び１３間を半田のブリッジＢで接続して、マイクロコンピュータ７に湿度補正値＋３％ｒｈを入力するか、あるいは半田付け用パットＰ１、Ｐ３のパット１２及び１３間を半田のブリッジＢで接続すると共に、他の半田付け用パットＰ２、Ｐ４のパット１１及び１２間を半田のブリッジＢで接続して、マイクロコンピュータ７に湿度補正値−３％ｒｈを入力する。
【００１９】
更に、液晶ディスプレイ２に表示された湿度指示値と校正用湿度計の湿度指示値との誤差が±２％ｒｈ程度である場合は、半田付け用パットＰ２のパット１１及び１２間を半田のブリッジＢで接続すると共に、他の半田付け用パットＰ１、Ｐ３、Ｐ４のパット１２及び１３間を半田のブリッジＢで接続して、マイクロコンピュータ７に湿度補正値＋２％ｒｈを入力するか、あるいは半田付け用パットＰ３のパット１１及び１２間を半田のブリッジＢで接続すると共に、他の半田付け用パットＰ１、Ｐ２、Ｐ４のパット１２及び１３間を半田のブリッジＢで接続して、マイクロコンピュータ７に湿度補正値−２％ｒｈを入力する。
【００２０】
なお、液晶ディスプレイ２に表示された湿度指示値と校正用湿度計の湿度指示値とが略一致している場合は、図２（ｄ）の如く、半田付け用パットＰ１〜Ｐ４のパット１２及び１３間を半田のブリッジＢで接続して湿度補正値を±０％ｒｈとする。
【００２１】
このように、本例の電子湿度計は、別途ボリューム等の部品を用いることなく、簡単な半田付け作業によって湿度指示値を迅速に補正することができる。また、図４の如く、ハウジング１に、半田付け用パットＰ１〜Ｐ４が設けられた箇所を開放する蓋５が設けられていれば、半田付け用パットＰ１〜Ｐ４が設けられたプリント基板８をハウジング１内に収容して電子湿度計の組立加工が完了した後に、湿度指示値の補正作業を行うことができる。
【００２２】
なお、本例では、プリント基板８の半田付け用パットＰ１〜Ｐ４が設けられた箇所を電池ケース４の内部に配置して、その電池ケース４の蓋５を開けると、半田付け用パットＰ１〜Ｐ４が設けられた箇所が開放されるようになっているが、本発明はこれに限らず、電池ケース４の蓋５とは別個に、半田付け用パットＰ１〜Ｐ４が設けられた箇所を開放する蓋を設けてもよい。また、半田付け用パットのユニット数を増やし、それに応じて当該各ユニットから補正信号が入力されるマイクロコンピュータの入力端子数を増やせば、より細かな補正を行なうことができる。
【図面の簡単な説明】
【００２３】
【図１】本発明に係る電子湿度計の一例を示すブロック図
【図２】図１の電子湿度計の湿度指示値の補正方法を例示する図
【図３】電子湿度計のハウジングの正面図
【図４】電子湿度計のハウジングの背面図
【符号の説明】
【００２４】
１  ハウジング
２  液晶ディスプレイ
３  乾電池
４  電池ケース
５  蓋
６  湿度センサ
７  マイクロコンピュータ
Ｍ１〜Ｍ４  入力端子
８  プリント基板
９  高電位の信号源
１０  低電位の信号源
Ｈ  高電位の補正信号
Ｌ  低電位の補正信号
Ｐ１〜Ｐ４  半田付け用パット
１１  パット
１２  パット
１３  パット
Ｂ  半田のブリッジ
【図１】
2006053038.tif 000003
【図２】
2006053038.tif 000004
【図３】
2006053038.tif 000005
【図４】
2006053038.tif 000006